(57)【要約】【課題】動作応答性を向上させ得る電磁弁を提供することを課題とする。【解決手段】バルブ体２は、プランジャ４の一端部４ａの外径よりも大きい外径をもつ大径他端部２１をもつ。プランジャ４の一端部４ａとバルブ体２の大径他端部２１との間に、容積可変の油出し入れ室６を形成する。油出し入れ室６は、流路断面積が相対的に小さい小径室６１と、バルブ体２の大径他端部２１が嵌合すると共に流路断面積が相対的に大きい大径室６２とを備える。バルブ体２の移動に伴い、油出し入れ室６の大径室６２の容積を変化させ、油をプランジャ４の移動方向と同一方向に向けてプランジャ４の壁面に沿って流動させ、プランジャ４の移動動作をアシストするアシスト通路７が設けられている。【選択図】図１
2004278644.tif 000002
【特許請求の範囲】
【請求項１】
収容室及びポートを有するハウジングと、
前記ハウジングの収容室内に移動可能に設けられ、移動に伴い前記ポートを開閉させるバルブ体と、
前記ハウジングに設けられ前記バルブ体を一方向に付勢する付勢要素と、
前記ハウジングの収容室内に移動可能に設けられたプランジャと、
前記付勢要素の付勢力に抗して前記付勢要素の付勢方向と逆方向にバルブ体を移動させる駆動力を発生させ、前記バルブ体で前記ポートを開閉させるソレノイド駆動部とを具備する電磁弁において、
前記バルブ体は、前記プランジャの一端部と対向する側に前記プランジャの一端部の外径よりも大きい外径をもつ大径他端部をもち、
前記プランジャ及び前記バルブ体は、前記プランジャの一端部と前記バルブ体の大径他端部との間に容積可変の油出し入れ室を形成し、
前記油出し入れ室は、前記プランジャの一端部が嵌合すると共に流路断面積が相対的に小さい小径室と、前記バルブ体の前記大径他端部が嵌合すると共に流路断面積が小径室よりも相対的に大きい大径室とを備えており、且つ、
前記プランジャを移動させることにより前記バルブ体を移動させ、前記バルブ体の移動に伴い前記油出し入れ室の大径室の容積を変化させ、前記容積の変化により油を前記プランジャの移動方向と同一方向に向けて前記プランジャの壁面に沿って流動させ、前記プランジャの移動動作をアシストするアシスト通路が設けられていることを特徴とする電磁弁。
【請求項２】
請求項１において、前記アシスト通路は、前記油出し入れ室の前記大径室の容積の減少に伴って前記油出し入れ室の前記大径室の油をプランジャの移動方向と同一方向に向けて且つ前記プランジャの壁面に沿って流動させかつ前記油出し入れ室の前記大径室の容積の増加に伴って、油貯留部の油を前記プランジャの移動方向と同一方向に向けて且つ前記プランジャの壁面に沿って油が流動するようその一端を前記油貯留部に連通しかつ他端を油出し入れ室の小径室に連通させたことを特徴とする電磁弁。
【請求項３】
請求項１または請求項２において、前記プランジャの移動速度をＶＰとし、前記アシスト通路を流れる油の流速をＶ１とし、前記小径室を流れる油の流速をＶ２とし、前記大径室を流れる油の流速をＶ３とすると、（１）〜（３）のうちの少なくとも一つの条件を満足するように、前記大径室、前記小径室、前記アシスト通路の断面積が設定されていることを特徴とする電磁弁。
（１）Ｖ１＞ＶＰ
（２）Ｖ２＞ＶＰ
（３）Ｖ３＝ＶＰまたはＶ３≒ＶＰ
【発明の詳細な説明】
【０００１】
【発明の属する技術分野】
本発明は動作応答性を改善した電磁弁に関する。
【０００２】
【従来の技術】
従来、電磁弁は、収容室及びポートを有するハウジングと、ハウジングの収容室内に移動可能に設けられ移動に伴いポートを開閉させるバルブ体と、ハウジングに設けられバルブ体を一方向に付勢する付勢バネと、ハウジングの収容室内に移動可能に設けられたプランジャと、付勢バネの付勢方向と逆方向にバルブ体を移動させる駆動力を発生させ、バルブ体でポートを開閉させるソレノイド駆動部とを備えている（特許文献１）。ソレノイド駆動部の励磁により付勢バネの付勢力に抗してプランジャを移動させることによりバルブ体をハウジングの収容室内で移動させ、ハウジングのポートを開閉する。これによりポートを介して油の流れが制御される。なお、プランジャ及びバルブ体は同じ方向に移動する。
【０００３】
【特許文献１】特開２０００−２９１８１１号公報
【０００４】
【発明が解決しようとする課題】
ところで産業界では、油圧機器の動作速度の高速化が要請されている。このため電磁弁においても動作応答性の更なる向上が要請されている。
【０００５】
本発明は上記した実情に鑑みてなされたものであり、動作応答性を向上させ得る電磁弁を提供することを課題とする。
【０００６】
【課題を解決するための手段】
本発明に係る電磁弁は、
収容室及びポートを有するハウジングと、
ハウジングの収容室内に移動可能に設けられ、移動に伴い前記ポートを開閉させるバルブ体と、
ハウジングに設けられバルブ体を一方向に付勢する付勢要素と、
ハウジングの収容室内に移動可能に設けられたプランジャと、
付勢要素の付勢力に抗して付勢要素の付勢方向と逆方向にバルブ体を移動させる駆動力を発生させ、バルブ体でポートを開閉させるソレノイド駆動部とを具備する電磁弁において、
バルブ体は、プランジャの一端部と対向する側にプランジャの一端部の外径よりも大きい外径をもつ大径他端部をもち、
プランジャ及びバルブ体は、プランジャの一端部とバルブ体の大径他端部との間に容積可変の油出し入れ室を形成し、
油出し入れ室は、プランジャの一端部が嵌合すると共に流路断面積が相対的に小さい小径室と、バルブ体の大径他端部が嵌合すると共に流路断面積が小径室よりも相対的に大きい大径室とを備えており、且つ、
プランジャを移動させることによりバルブ体を移動させ、前記バルブ体の移動に伴い油出し入れ室の大径室の容積を変化させ、容積の変化により油をプランジャの移動方向と同一方向に向けて前記プランジャの壁面に沿って流動させ、プランジャの移動動作をアシストするアシスト通路が設けられていることを特徴とするものである。
【０００７】
本発明に係る電磁弁によれば、付勢要素はバルブ体を付勢している。ソレノイド駆動部により、付勢要素の付勢方向と逆方向にバルブ体を移動させる駆動力を発生させる。これによりバルブ体でボート群のポートを開閉させる。
【０００８】
本発明に係る電磁弁によれば、バルブ体は、プランジャの一端部と対向する側にプランジャの一端部の外径よりも大きい外径をもつ大径他端部をもつ。またプランジャ及びバルブ体は、プランジャの一端部とバルブ体の大径他端部との間に容積可変の油出し入れ室を形成している。そして油出し入れ室は、プランジャの一端部が嵌合すると共に流路断面積が相対的に小さい小径室と、バルブ体の大径他端部が嵌合すると共に流路断面積が小径室よりも相対的に大きい大径室とを備えている。
【０００９】
プランジャの移動によりバルブ体が移動すると、油出し入れ室の大径室の容積が変化し、大径室に対して油が出し入れされる。出し入れされる油はアシスト通路を流動する。このときアシスト通路の油は、プランジャの移動方向と同一方向に向けてプランジャの壁面に沿って流動する。この結果、アシスト通路を流動する油により、プランジャのつれ動き性が高まり、プランジャの移動動作はアシストされる。このようにアシスト通路を流動する油がプランジャの移動動作をアシストするため、プランジャの動作応答性が向上する。ひいては電磁弁のポートを開閉する動作応答性が向上する。
【００１０】
【発明の実施の形態】
本発明によれば、アシスト通路は、油出し入れ室の大径室の容積の減少に伴って油出し入れ室の大径室の油をプランジャの移動方向と同一方向に向けて且つプランジャの壁面に沿って流動させかつ油出し入れ室の大径室の容積の増加に伴って、油貯留部の油をプランジャの移動方向と同一方向に向けて且つプランジャの壁面に沿って油が流動するようその一端を前記油貯留部に連通しかつ他端を油出し入れ室の小径室に連通させた形態を例示できる。
【００１１】
本発明によれば、プランジャの移動速度をＶＰとし、アシスト通路を流れる油の流速をＶ１とし、小径室を流れる油の流速をＶ２とし、大径室を流れる油の流速をＶ３とすると、（１）〜（３）のうちの少なくとも一つの条件を満足するように、大径室、小径室、アシスト通路の断面積が設定されている形態を例示できる。
【００１２】
（１）Ｖ１＞ＶＰ
（２）Ｖ２＞ＶＰ
（３）Ｖ３＝ＶＰまたはＶ３≒ＶＰ
Ｖ３≒ＶＰはＶ３／ＶＰ＝０．９〜１．１を意味する。
【００１３】
上記したように（１）〜（３）のうちの少なくとも一つの条件が満足されていれば、速度が速い油がプランジャをつれ動かし、プランジャの移動動作をアシストするため、プランジャの動作応答性が向上し、ひいては電磁弁のポートを開閉する動作応答性が向上する。
【００１４】
【実施例】
以下、本発明の実施例について図１〜図４を参照して説明する。図１の上半分（Ａ）は、ソレノイド駆動部の断電時の状態を示す。図１の下半分（Ｂ）は、ソレノイド駆動部の通電時の状態を示す。
【００１５】
本実施例に係る電磁弁は、図１に示すように、ハウジング１と、バルブ体２と、付勢要素としての付勢バネ３と、プランジャ４と、ソレノイド駆動部５とを備えている。ハウジング１は収容室１３及びポート群１４を有する。ポート群１４は複数のポート１４ａ〜１４ｆで形成されている。ハウジング１の収容室１３は、バルブ体２を収容するバルブ体収容室１３ｂをもつ。
【００１６】
バルブ体２は、ハウジング１のバルブ体収容室１３ｂ内に一方向（矢印Ｘ１方向），他方向（矢印Ｘ２方向）に移動可能に設けられている。矢印Ｘ１，Ｘ２方向は、バルブ体２の軸線方向に沿った方向である。バルブ体２は、ポート１４ａ〜１４ｅを閉鎖可能なランド部２０ａ〜２０ｅを備えている。バルブ体２の矢印Ｘ１，Ｘ２方向の移動に伴い、ランド部２０ａ〜２０ｅが同方向に移動するため、ポート群１４のポート１４ａ〜１４ｅが開閉する。
【００１７】
バルブ体２は、付勢バネ３と反対側である他端部に大径他端部２１をもつ。バルブ体２の大径他端部２１から同軸的に突出軸部２３がプランジャ４の一端部４ａに向けて延設されている。突出軸部２３はバルブ体２の大径他端部２１に一体的に、付勢バネ３の付勢方向（矢印Ｘ１方向）に向けて延設されている。
【００１８】
付勢バネ３はコイルバネで形成されており、ハウジング１のバネ室１ｘに設けられており、バルブ体２の一端部２ａを一方向つまり矢印Ｘ１方向に向けて常に付勢する。
【００１９】
一方前記ソレノイド駆動部５は電磁コイル５ａを有し、この電磁コイル５ａ内にヨーク１５ａならびにコア１５ｂを収容しかつその外側をカバー１２にて覆っている。前記ヨーク１５ならびにコア１５ｂはリング状の空間１５ｃを介して同軸配置されかつその内部にプランジャ収容室１３ａを構成している。
【００２０】
プランジャ４は、ハウジング１のプランジャ収容室１３ａ内に矢印Ｘ１，Ｘ２方向に移動可能に設けられている。プランジャ４は電磁コイル５ａにより移動されるものである。付勢バネ３の付勢力により、突出軸部２３の先端２３ｘはプランジャ４の一端部４ａに常に当接している。
【００２１】
電磁コイル５ａに通電されて電磁コイル５ａが励磁されると、コア１５ｂ方向に吸引力が発生し、付勢バネ３の付勢方向（矢印Ｘ１方向）と逆方向（矢印Ｘ２方向）にプランジャ４ならびにバルブ体２が一体となって付勢バネ３の付勢力に抗しつつ移動する。これに対して、電磁コイル５ａが断電されて電磁コイル５ａが消磁されると、前記した吸引力が消失するため、付勢バネ３の付勢力によりバルブ体２は付勢バネ３の付勢方向（矢印Ｘ１方向）に付勢される。ひいては、突出軸部２３に押圧されたプランジャ４は、付勢バネ３の付勢方向（矢印Ｘ１方向）に付勢されて移動する。このようにバルブ体２が矢印Ｘ１，Ｘ２方向に適宜移動すると、ハウジング１のポート群１４は適宜開閉される。
【００２２】
さて本実施例によれば、ハウジング１の収容室１３に収容されているプランジャ４及びバルブ体２は、プランジャ４の一端部４ａとバルブ体２の大径他端部２１との間に、容積可変の油出し入れ室６を形成する。図２及び図３は油出し入れ室６付近を示す。油出し入れ室６は、プランジャ４の一端部４ａが嵌合する円筒形状をなす小径室６１と、バルブ体２の大径他端部２１が嵌合する円筒形状をなす大径室６２とを備えている。図２に示すように、大径室６２の流路断面積は小径室６１の流路断面積よりも大きく設定されている。流路断面積は、プランジャ４の軸芯Ｐ１に対して軸直角方向の断面積をいう。
【００２３】
更に、油出し入れ室６はリング形状の中間通路６３を備えている。中間通路６３は、大径室６２と小径室６１とを連通すると共に、大径室６２の内径及び小径室６１の内径よりも小さな内径をもつ。中間通路６３にはバルブ体２の突出軸部２３が所定のスキマをもって嵌合されている。
【００２４】
更に、図１，図４に示すように、プランジャ４の外壁面には、複数個のアシスト通路７がプランジャ４の軸長方向と平行な方向に沿って直線状に延設されている。図１に示すように、アシスト通路７の一端部７ａは、油出し入れ室６の小径室６１に連通する。アシスト通路７の他端部７ｂは、端部油室７０を介してハウジング１の逃げ路８０に連通し、逃げ路８０を経て油貯留部８２に連通する。逃げ路８０は、図４に示すように、プランジャ４の軸芯Ｐ１の回りで渦巻き状に形成されており、油の移動距離、油の貯留容積が確保されている。かかる逃げ路８０によって油の流路を長くすることで油貯留部８２内の油が直接端部油室７０内に入らないようにして異物進入を防止している。
【００２５】
ここで本実施例によれば、図２に示すように、小径室６１の内径はＤ１として示される。小径室６１に嵌合するプランジャ４の一端部４ａの外径はＤ１’として示される。大径室６２の内径はＤ２として示される。大径室６２に嵌合するバルブ体２の大径他端部２１の外径はＤ２’として示される。小径室６１の内径Ｄ１は、プランジャ４の一端部４ａの外径Ｄ１’と基本的には同径とされている。
大径室６２の内径Ｄ２は、バルブ体２の大径他端部２１の外径Ｄ２’と基本的には同径とされている。中間通路６２の内径はＤ３として示される。突出軸部２３の外径はＤ３’として示される。
【００２６】
ここで本実施例によれば、大径室６２の内径Ｄ２は小径室６１の外径Ｄ１よりも大きくされている。従って、バルブ体２の大径他端部２１の外径Ｄ２’は、プランジャ４の一端部４ａの外径Ｄ１’よりも大きくされている。また、中間通路６３の内径Ｄ３は突出軸部２３の外径Ｄ３’よりも大きくされている。
【００２７】
更に小径室６１の油が動きうる流路断面積はＳ１として示される。大径室６２の油が動きうる流路断面積はＳ２として示される。大径他端部２１の作用面積はＳ２’として示される。大径他端部２１の作用面積Ｓ２’は、図５にハッチングとして示すように、大径他端部２１の投影面積から突出軸部２３の投影面積を差し引いたものである。
【００２８】
ここで、大径他端部２１の作用面積Ｓ２’は、大径室６２の流路断面積Ｓ２と基本的には同じとされている。また大径他端部２１の作用面積Ｓ２’（大径室６２の流路断面積Ｓ２）は、小径室６１の流路断面積Ｓ１よりも大きくされている。
【００２９】
ここで、ソレノイド駆動部５が消磁されるときには、付勢バネ３の付勢力によりバルブ体２が矢印Ｘ１方向に移動し、プランジャ４が矢印Ｘ１方向に移動する。この場合、図２に示すように、バルブ体２の大径他端部２１が矢印Ｘ１方向に移動するため、油出し入れ室６の大径室６２の容積が減少するように変化する。
この結果、油出し入れ室６の大径室６２の容積の減少により、大径室６２の油が増圧され、油出し入れ室６の大径室６２は油吐出作用を奏し、大径室６２の油は中間通路６３を矢印Ａ１方向（図２参照）に吐出されて小径室６１側に向けて流動する。
【００３０】
更にその油は、プランジャ４の壁面に形成されているアシスト通路７を矢印Ｘ１方向に沿って移動する。即ち、油出し入れ室６の油は、プランジャ４の壁面に沿ってプランジャ４やバルブ体２の移動方向と同一方向（矢印Ｘ１方向）に向けて流動する。従って、油によるプランジャ４のつれ動き性が向上し、油がプランジャ４の移動動作をアシストする。このためプランジャ４の動作応答性が向上する。ひいてはポート群１４を開閉する動作応答性が向上する。
【００３１】
なお、油出し入れ室６から矢印Ｘ１方向に移動した油は、アシスト通路７，端部油室７０、逃げ路８０から油貯留部８２に流動して自動変速機のオイルパンなどの油貯留部８２で保持される。
【００３２】
これに対してソレノイド駆動部５が励磁されるときには、プランジャ４が矢印Ｘ２方向に移動し、プランジャ４がバルブ体２の突出軸部２３を同方向に押圧するため、バルブ体２が矢印Ｘ２方向に移動する。この場合、バルブ体２の大径他端部２１が矢印Ｘ２方向に移動するため、油出し入れ室６の大径室６２の容積が増加するように変化する。この結果、大径室６２の油が減圧され、矢印Ａ２方向（図３参照）に向かう吸引作用を大径室６２が発生させる。
【００３３】
よって、油貯留部８２や逃げ路８０側に貯留されていた油が、プランジャ４の壁面に形成されているアシスト通路７に沿って矢印Ｘ２方向に流動する。即ち、油貯留部８２、逃げ路８０、端部油室７０側の油は、プランジャ４の壁面に沿ってプランジャ４の移動方向と同一方向（矢印Ｘ２方向）に向けて流動する。従って、油によるプランジャ４のつれ動き性が向上し、アシスト通路７を流動する油がプランジャ４の移動動作をアシストする。このためプランジャ４の動作応答性が向上する。ひいては電磁弁のポート群１４を開閉する動作応答性が向上する。
【００３４】
更に本実施例によれば、図２に示すように、バルブ体２は、プランジャ４の一端部４ａと対向する側にプランジャ４の一端部４ａの外径Ｄ１’よりも大きい外径Ｄ２’をもつ大径他端部２１を有する。そして油出し入れ室６は、プランジャ４の一端部４ａが嵌合すると共に流路断面積が相対的に小さい小径室６１と、バルブ体２の大径他端部２１が嵌合すると共に流路断面積が相対的に大きい大径室６２とを備えている。この場合、次の作用効果が得られる。このように流路断面積が異なるため、バルブ体２の移動により大径他端部２１が移動するときには、大径室６２からの油吐出量または大径室６２への油吸入量が多くなる。このため、アシスト通路７を流動する油の流速をプランジャ４の移動速度よりも大きくするのに有利であり、プランジャ４の移動動作のアシスト性を高めることができ、電磁弁のポート群１４を開閉する動作応答性が向上する。
【００３５】
上記した構造が採用されている本実施例によれば、プランジャ４の移動速度をＶＰとし、アシスト通路７を流れる油の流速をＶ１とし、小径室６１を流れる油の流速をＶ２とし、大径室６２を流れる油の流速をＶ３とすると、（１）〜（４）の条件が満足されている。このためプランジャ４の移動動作のアシスト性を一層高めることができ、電磁弁のポート群１４を開閉する動作応答性が一層向上する。
【００３６】
（１）アシスト通路７が存在する領域Ａにおいては、Ｖ１＞ＶＰ
（２）小径室６１が存在する領域Ｂにおいては、Ｖ２＞ＶＰ
（３）大径室６２が存在する領域Ｃにおいては、Ｖ３＝ＶＰまたはＶ３≒ＶＰ
（４）中間通路６３が存在する領域Ｄにおいては、Ｖ４＞ＶＰ
その理由について説明を加える。バルブ体２の突出軸部２３がプランジャ４の一端部４ａに常に当接しているため、バルブ体２の移動ストロークとプランジャ４の移動ストロークとは基本的に同じである。従って、バルブ体２の大径他端部２１が移動ストロークＬ１分矢印Ｘ１方向に移動したとき、プランジャ４は同方向に同ストローク移動する。
【００３７】
そして本実施例によれば、バルブ体２の大径他端部２１が移動ストロークＬ１分矢印Ｘ１方向に移動するとき、プランジャ４も同方向に同ストロークＬ１分移動するが、そのストロークによって大径室６２から矢印Ｘ１方向（矢印Ａ１方向）に吐出された油は、大径室６２から中間通路６３，小径室６１へ流れ、さらにアシスト通路７、端部油室７０ならびに逃げ路８０に向けて流れることになる。
【００３８】
かかる一連の油の流れにおいて大径室６２においては、大径室６２の流路断面積Ｓ２はバルブ体２の大径他端部２１の作用面積Ｓ２’と基本的には同じであるため（Ｓ２＝Ｓ２’）、バルブ体２の大径他端部２１が矢印Ｘ１方向に移動するとき、大径他端部２１の移動により加圧される大径室６２の油は、バルブ体２の移動速度（プランジャ４の移動速度ＶＰ）と基本的に同じ速度で大径室６２において矢印Ｘ１方向に流れることになる。従って大径室６２においてはＶ３＝ＶＰまたはＶ３≒ＶＰとなる。なお油は非圧縮性流体と考えることができる。
【００３９】
またこの大径室６２に続く中間通路６３内においては、中間通路６３の流路断面積はバルブ体２の大径他端部２１の作用面積Ｓ２’よりも小さいため、バルブ体２の大径他端部２１が矢印Ｘ１方向に移動するとき、中間通路６３の油は、プランジャ４の移動速度ＶＰよりも速い速度で矢印Ｘ１方向に移動することになる。従って中間通路６３においてはＶ４＞ＶＰとなる。
【００４０】
中間通路６３に続く小径室６１においては、小径室６１の流路断面積Ｓ１はバルブ体２の大径他端部２１の作用面積Ｓ２’よりも小さいため（Ｓ１＜Ｓ２’）、バルブ体２の大径他端部２１が矢印Ｘ１方向に移動するとき、大径他端部２１の移動により小径室６１を矢印Ｘ１方向に流動する油は、プランジャ４の移動速度ＶＰよりも速い速度で流れることになる。従って小径室６１においてはＶ２＞ＶＰとなる。
【００４１】
更にこの小径室６１に続くアシスト通路７では、前記小径室６１の流路断面積Ｓ１よりも小さい断面積のため、ここを流れる油の速度Ｖ１はプランジャ４の移動速度ＶＰよりも早い速度で端部油室７０へと流れる。この油の流れがプランジャ４に流動力を作用し、よりすばやくプランジャ４を移動させる。
【００４２】
次に、バルブ体２の大径他端部２１がストロークＬ２分矢印Ｘ２方向に移動するときについて説明を加える。かかるＸ２方向の移動に際しては、小径室６１内から吐出された油は小径室６１から中間通路２３，大径室６２へと流れることになる。この一連の流れにおいて、小径室６１では、小径室６１の流路断面積Ｓ１よりもバルブ体２の大径他端部２１の作用面積Ｓ２’が大きいため（Ｓ１＜Ｓ２’）、小径室６１内を矢印Ｘ２方向に流動する油は、プランジャ４の移動速度ＶＰよりも速い速度で中間通路６３に向けて流れることになる。従って小径室６１においてはＶ２＞ＶＰとなる。
【００４３】
また小径室６１に続く中間通路６３においては、バルブ体２の大径他端部２１の作用面積Ｓ２’は中間通路６３の流路断面積よりも大きいため、大径他端部２１が矢印Ｘ２方向に移動したとき、中間通路６３を矢印Ａ２方向（図３参照）に流動する油は、プランジャ４の移動速度ＶＰよりも速い速度で中間通路６３の中間通路６３を流れる。従って中間通路６３においてはＶ４＞ＶＰとなる。
【００４４】
また中間通路６３に続く大径室６２については、バルブ体２の大径他端部２１の作用面積Ｓ２’は、大径室６２の流路断面積Ｓ２と基本的には同じであるため（Ｓ２’＝Ｓ２）、大径他端部２１が矢印Ｘ２方向に移動するとき、大径室６２を流動する油は、バルブ体２の移動速度（プランジャ４の移動速度ＶＰ）と基本的に同じ速度で矢印Ｘ２方向に流れることになる。従って大径室６２においてはＶ３＝ＶＰ、または、Ｖ３≒ＶＰとなる。
【００４５】
上記油の流れに加えてこの矢印Ｘ２方向ストロークの際には、大径室６２と小径室６１の面積差があるため、油の不足分をアシスト通路７、端部油室７０を介して油貯留部８２より吸引する。この際、この油はプランジャ４の移動速度よりも速い速度でプランジャ４の移動方向と同方向に流れるため、その流動力に助力されてプランジャ４をストロークさせることができる。
【００４６】
（他の実施例）
上記した実施例によれば、アシスト通路７はプランジャ４の外壁面に形成されているが、これに限らず、プランジャ４の内部に貫通孔状に形成しても良い。またアシスト通路７をプランジャ４の外壁面に限らず、ヨーク１５の壁面に形成しても良い。更に図６に示す他の実施例のように、アシスト通路７を形成する通路壁面を粗面化させたり、微小凹凸を形成して、つれ動き促進部７ｋを形成しても良い。この場合、油によるプランジャ４のつれ動き性が向上し、油がプランジャ４の移動動作を良好にアシストすることができる。
【００４７】
（その他）
上記した実施例においては、アシスト通路７がプランジャ４の軸長方向と平行な方向に沿って直線状に延設されているが、多少曲成状に延設されていても良い。  プランジャ４に形成されているアシスト通路７の数は２本であるが、１本でも、３本でも、それ以上でも良い。上記した実施例では上記した（１）〜（４）の条件が満足されているが、これに限らず、（１）の条件だけを満足する形態でも良い。また（１）の条件のほかに、（２）〜（４）のいずれかの条件を満足する形態でも良い。
【００４８】
その他、本発明は上記した実施例のみに限定されるものではなく、要旨を逸脱しない範囲内で適宜変更して実施できるものである。発明の実施の形態、実施例に記載の語句は一部であっても、請求項に記載できるものである。
【００４９】
【発明の効果】
以上説明したように本発明に係る電磁弁によれば、油出し入れ室の油は、プランジャの壁面に沿ってプランジャやバルブ体の移動方向と同一方向に向けて流動する。従って、油によるプランジャのつれ動き性が向上し、油がプランジャの移動動作をアシストする。このためプランジャの動作応答性が向上する。ひいては電磁弁のポートを開閉する動作応答性が向上する。
【００５０】
殊に本発明に係る電磁弁によれば、バルブ体は、プランジャの一端部と対向する側に前記プランジャの端部の外径よりも大きい外径をもつ大径他端部をもち、油出し入れ室は、前記プランジャの一端部が嵌合すると共に流路断面積が相対的に小さい小径室と、バルブ体の大径他端部が嵌合すると共に流路断面積が相対的に大きい大径室とを備えてため、次の作用効果が得られる。即ち、バルブ体の移動により大径他端部が移動するときには、大径室からの油吐出量または大径室への油吸入量が多くなるため、アシスト通路を流動する油の流速をプランジャの移動速度よりも大きくするのに有利であり、プランジャの移動動作のアシスト性を一層高めることができる。
【図面の簡単な説明】
【図１】第１実施例に係り、作用状態を説明する電磁弁の断面図である。
【図２】電磁弁の油出し入れ室付近を拡大して示し、油出し入り室の大径室の容積が増加している状態を示す断面図である。
【図３】電磁弁の油出し入れ室付近を拡大して示し、油出し入り室の大径室の容積が減少している状態を示す断面図である。
【図４】アシスト通路を示す図１のＡ−Ａ線断面図である。
【図５】バルブ体の大径他端部の作用面積を定義する図である。
【図６】第２実施例に係り、アシスト通路付近を模式的に示す断面図である。
【符号の説明】
図中、１はハウジング、１３は収容室、２はバルブ体、２１は大径他端部、２３は突出軸部、３は付勢バネ（付勢要素）、４はプランジャ、５はソレノイド駆動部、６は油出し入れ室、６１は小径室、６２は大径室、６３は中間通路、７はアシスト通路を示す。
【図１】
2004278644.tif 000003
【図２】
2004278644.tif 000004
【図３】
2004278644.tif 000005
【図４】
2004278644.tif 000006
【図５】
2004278644.tif 000007
【図６】
2004278644.tif 000008